(57)【要約】【課題】冷蔵庫の扉の加工性および組立性を向上させることにより、作業時間の短縮および歩留まりの改善を実現し、品質の高い冷蔵庫を提供すること。【解決手段】冷蔵庫１の冷凍室扉３は、内板１５および外板１０を備え、外板１０は、冷凍室扉３の前面の一部を構成する前外板１１と、前外板１１の後方に配置され、冷凍室扉３の前面の一部を構成する後外板１２と、前外板１１と後外板１２とを接続するトリムドア３０と、を備える。また、トリムドア３０は、前外板１１を挿入するための前挿入溝３０ａと、後外板１２を挿入するための後挿入溝３０ｂとを有し、前外板１１および後外板１２が、前挿入溝３０ａおよび後挿入溝３０ｂにそれぞれ挿入された状態における後外板１２とトリムドア３０との間の凹部によって、手掛け部Ａが形成される。【選択図】図４
2016048124.tif 000002
【特許請求の範囲】
【請求項１】
内板および外板を備える冷蔵庫の扉であって、
前記外板は、
前記扉の前面の一部を構成する前外板と、
前記前外板の後方に配置され、前記扉の前面の一部を構成する後外板と、
前記前外板と前記後外板とを接続する接続部品と、を備え、
前記接続部品は、
前記前外板が挿入される前挿入溝と、
前記後外板が挿入される後挿入溝と、を有し、
前記前外板および前記後外板が、前記前挿入溝および前記後挿入溝にそれぞれ挿入された状態における前記後外板と前記接続部品との間の凹部によって、手掛け部が形成されることを特徴とする冷蔵庫の扉。
【請求項２】
前記前挿入溝および前記後挿入溝は、互いに平行に、かつ反対方向に凹んで形成されることを特徴とする請求項１に記載の冷蔵庫の扉。
【請求項３】
前記接続部品は、前記後外板の先端を前記後挿入溝に案内するための案内リブをさらに有することを特徴とする請求項１または２に記載の冷蔵庫の扉。
【請求項４】
前記接続部品は、前記手掛け部の一部を構成する手掛け面をさらに有することを特徴とする請求項１〜３のいずれか一項に記載の冷蔵庫の扉。
【請求項５】
前記接続部品は、前記手掛け面の反対側において、前記前外板よりも前方に突出して形成される突出部をさらに有することを特徴とする請求項４に記載の冷蔵庫の扉。
【請求項６】
前記扉は、前記内板および前記外板の間に充填される発泡断熱材をさらに備え、
前記接続部品は、前記発泡断熱材と接する凹凸面をさらに有することを特徴とする請求項１〜５のいずれか一項に記載の冷蔵庫の扉。
【請求項７】
前記接続部品は、押し出し成型または射出成型で形成されることを特徴とする請求項１〜６のいずれか一項に記載の冷蔵庫の扉。
【請求項８】
請求項１〜７のいずれか一項に記載の冷蔵庫の扉と、
前記扉によって開閉可能に閉塞される貯蔵室が形成された箱体と、を備える冷蔵庫。
【発明の詳細な説明】
【技術分野】
【０００１】
本発明は、冷蔵庫に関するものであり、特に冷蔵庫の扉に関するものである。
【背景技術】
【０００２】
一般的な冷蔵庫では、箱体の内部に冷蔵室および冷凍室が形成され、それぞれが冷蔵室扉および冷凍室扉によって開閉自在に閉塞される構成となっている。また、冷蔵室扉および冷凍室扉には、各扉を開閉する際に手を掛けるための手掛け部が設けられている。
【０００３】
特許文献１には、冷蔵庫の扉の外板の一部を切欠き、当該切欠いた部分に手掛け部としてハンドルを嵌着することが記載されている。特許文献１に記載されるハンドルは、ボディ、ベースおよびトリムによって構成され、外板と内板との間の空間に充填される発泡断熱材によって、外板および内板とともに扉に固定される構成となっている。
【０００４】
また、特許文献２には、冷蔵庫の扉の外板によって手掛け部を形成することが記載されている。具体的には、特許文献２に記載される冷蔵庫では、扉の外板が、扉の前面の大部分を構成する前外板と、前面の一部を構成する後外板と、前外板と後外板とを接続する接続部品（リテイナー）とによって構成される。また、後外板が前外板より後方に配置されることで、後外板と前外板との間に、扉を開閉する際に手を入れるための凹空間が形成される。さらに、前外板の一端がＵ字形状に折り曲げられることで、手掛け部が形成される。
【先行技術文献】
【特許文献】
【０００５】
【特許文献１】特開平６−１５９９１６号公報（図２参照）
【特許文献２】特開２００９−１６８３０２号公報（図４〜図６参照）
【発明の概要】
【発明が解決しようとする課題】
【０００６】
特許文献１に記載される手掛け部を設けるためには、扉の外板に対して、切欠きおよび折り曲げ加工を行う必要がある。また、手掛け部であるハンドルは複数の部品によって構成されるため、部品点数および作業工数が増加し、組み立て作業も複雑となる。
【０００７】
また、特許文献２に記載される扉の場合、手掛け部を形成するために、前外板をＵ字形状に折り曲げる加工が必要となる。この場合、扉の外板は意匠部品であるため、傷をつけない様に細心の注意が必要であるとともに、手掛け部の曲げ幅は狭く（例えば、８．５ｍｍ）加工が容易ではない。また、後外板と前外板とを重ねて一緒にリテイナーで挟み込む構成となっているため、挟み込む前に後外板と前外板との位置合わせを行う必要がある。さらに、リテイナーに挟み込んだ後に、上下または左右の位置がずれた場合には、後外板と前外板の両方をリテイナーから外して再度位置合わせを行う必要があり、大変手間である。
【０００８】
このように、従来の冷蔵庫においては、扉の手掛け部を設けるための加工や組み立ての工数が増加するとともに、作業が複雑となっている。その結果、組み立て作業に時間を要し、生産時の歩留まりも悪化してしまうといった課題があった。
【０００９】
本発明は、上記のような課題を解決するためのものであり、冷蔵庫の扉の加工性および組立性を向上させることにより、作業時間の短縮および歩留まりの改善を実現し、品質の高い冷蔵庫を提供することを目的とする。
【課題を解決するための手段】
【００１０】
本発明に係る冷蔵庫の扉は、内板および外板を備える冷蔵庫の扉であって、外板は、扉の前面の一部を構成する前外板と、前外板の後方に配置され、扉の前面の一部を構成する後外板と、前外板と後外板とを接続する接続部品と、を備え、接続部品は、前外板が挿入される前挿入溝と、後外板が挿入される後挿入溝と、を有し、前外板および後外板が、前挿入溝および後挿入溝にそれぞれ挿入された状態における後外板と接続部品との間の凹部によって、手掛け部が形成される。
【発明の効果】
【００１１】
本発明に係る冷蔵庫の扉では、加工および組み立てが容易になり、作業時間の短縮および歩留まりの改善が可能となる。その結果、品質の高い冷蔵庫を提供することができる。
【図面の簡単な説明】
【００１２】
【図１】本発明の実施の形態における冷蔵庫の外観斜視図である。
【図２】本発明の実施の形態における冷蔵庫の正面図である。
【図３】本発明の実施の形態における冷蔵庫の上面図である。
【図４】本発明の実施の形態における冷蔵庫が備える冷凍室扉の横断面図である。
【図５】本発明の実施の形態における冷凍室扉の分解斜視図である。
【図６】図４に示す冷凍室扉の横断面図を一部拡大した図である。
【図７】図６に示す冷凍室扉の横断面図をさらに一部拡大した図である。
【発明を実施するための形態】
【００１３】
以下に、本発明における冷蔵庫および冷蔵庫の扉の実施の形態を、図面に基づいて詳細に説明する。
【００１４】
図１は、本発明の実施の形態における冷蔵庫１の外観斜視図であり、図２は冷蔵庫１の正面図であり、図３は冷蔵庫１の上面図である。図１〜図３に示すように、冷蔵庫１は、箱体２、箱体２の前面開口部に設けられた冷凍室扉３および冷蔵室扉４を備えている。箱体２は、鋼板製の外箱と樹脂製の内箱との間に設けられた空間部に発泡断熱材を充填して構成される。箱体２の内部の収容空間には、仕切り部材によって断熱仕切りされた冷凍室および冷蔵室が形成される。冷凍室扉３および冷蔵室扉４は、箱体２の内部の冷凍室および冷蔵室をそれぞれ開閉可能に閉塞するよう取り付けられる。冷凍室扉３および冷蔵室扉４は、扉回転軸６ａを備えるヒンジ部６により回転自在に軸支されている。ヒンジ部６は、冷蔵庫１の天井部の右手前に配置され、ヒンジカバー５によって覆われている。冷凍室扉３および冷蔵室扉４の前面の左側には、高さ方向に延びる手掛け部Ａが形成される。
【００１５】
次に、本実施の形態における手掛け部Ａの構成について、冷凍室扉３を例に図４〜図７を参照して説明する。なお、冷蔵室扉４についても、以下に説明する冷凍室扉３と同様に構成される。図４は、本実施の形態の冷凍室扉３の横断面図であり、冷凍室扉３を図２のＺ−Ｚ断面で切断した図である。また、図５は本実施の形態の冷凍室扉３の分解斜視図である。図４および図５に示されるように、冷凍室扉３は、冷凍室扉３の前面を構成する外板１０および後面を構成する内板１５を備える。また、図５に示すように、外板１０の上面には上扉キャップ１３が取り付けられ、下面には下扉キャップ１４が取り付けられる。さらに、外板１０の内側の空間には、ポリウレタン樹脂などの発泡断熱材４０が充填される。冷凍室扉３は、外板１０の内側に充填された発泡断熱材４０が成形固着される前に内板１５を取り付けることで組み立てられる。
【００１６】
また、図４に示すように、外板１０は、前外板１１と、後外板１２と、前外板１１および後外板１２を接続する接続部品（以下、「トリムドア」という）３０とを備える。前外板１１および後外板１２は、１枚の薄い鋼板を折り曲げて形成される。前外板１１は、冷凍室扉３の前面の大部分を構成する平面部１１ａと、平面部１１ａから後方に向かって屈曲し、冷凍室扉３の側面を構成する側面部１１ｂと、内板１５と接続される接続部１１ｃとを有する。
【００１７】
図６は、図４に示す冷凍室扉３の横断面図を一部拡大した図であり、詳しくは、後外板１２の周辺を拡大した図である。図６に示すように、後外板１２は、冷凍室扉３の前面の一部を構成する平面部１２ａと、平面部１２ａの一端から後方に向かって屈曲し、冷凍室扉３の側面を構成する側面部１２ｂと、平面部１２ａの他端から前方に向かって屈曲して延びる屈曲部１２ｃと、屈曲部１２ｃから屈曲し、平面部１２ａと平行に延びる挿入部１２ｄと、内板１５と接続する接続部１２ｅとを有する。図４および図６に示すように、後外板１２が前外板１１の後方に配置され、後外板１２の平面部１２ａと屈曲部１２ｃとがＬ字形状をなすことにより、冷凍室扉３の前面に手掛け部Ａを構成する凹部が形成される。
【００１８】
図７は、図６に示す冷凍室扉３の横断面図をさらに一部拡大した図であり、詳しくは、トリムドア３０の周辺を拡大した図である。本実施の形態におけるトリムドア３０は、樹脂の押し出し成型または射出成型で形成され、外板１０の高さ方向の長さと略同じ長さを有する。トリムドア３０は、前外板１１を挿入するための前挿入溝３０ａと、後外板１２を挿入するための後挿入溝３０ｂと、後外板１２の挿入を案内する案内リブ３０ｃと、冷凍室扉３を開く際に手を掛ける手掛け面３０ｄおよび突出部３０ｅと、発泡断熱材４０の剥がれを抑制する凹凸面３０ｆとを有する。
【００１９】
前挿入溝３０ａは、トリムドア３０の前面側の右端部に形成される。また、後挿入溝３０ｂは、トリムドア３０の後面側の左端部に、前挿入溝３０ａと平行に形成される。前挿入溝３０ａおよび後挿入溝３０ｂは、左右方向において互いに反対方向に凹んで形成される。そして、外板１０を組み立てる際には、前外板１１の平面部１１ａの先端が右側から前挿入溝３０ａに挿入され、後外板１２の挿入部１２ｄの先端が左側から後挿入溝３０ｂに挿入される。このように、前外板１１および後外板１２は、それぞれトリムドア３０の前挿入溝３０ａおよび後挿入溝３０ｂによって位置決めされるため、外板１０の左右位置のずれを抑制することができる。また、前外板１１および後外板１２は、それぞれ独立してトリムドア３０に接続されるため、仮に前外板１１および後外板１２が上下方向にずれて組み立てられた場合も、個別に位置の修正を行うことができ、修正作業が容易となる。
【００２０】
案内リブ３０ｃは、後挿入溝３０ｂの開口部分から斜め後方に向かって延びるリブである。外板１０を組み立てる際には、後外板１２の挿入部１２ｄが案内リブ３０ｃによって後挿入溝３０ｂに案内されるため、組み立てが容易となる。
【００２１】
手掛け面３０ｄは、トリムドア３０の後面（後外板１２の平面部１２ａと対向する面）に形成される平面である。この手掛け面３０ｄならびに後外板１２の平面部１２ａおよび屈曲部１２ｃによって手掛け部Ａが形成される。このように、トリムドア３０によって手掛け部Ａの一部を構成することで、前外板１１を簡易な形状（本実施の形態の例では略Ｌ字形状）とすることができ、加工工数の削減を図ることができる。
【００２２】
突出部３０ｅは、手掛け面３０ｄの反対側において、前外板１１よりも前方に、例えば５ｍｍ〜１０ｍｍ突出するよう形成される。冷凍室扉３を開く際には、手掛け面３０ｄと突出部３０ｅとを手でつかむことができる。これにより、グリップ感を高めることができ、冷凍室扉３の開閉が容易になる。また、突出部３０ｅを備えることで、指や手が外板１０に直接触れることがなくなり、外板１０の汚れも抑制できる。さらに、前挿入溝３０ａの前方に突出部３０ｅを形成することで、前外板１１の挿入性が改善されるとともに、前挿入溝３０ａの強度を向上させることもできる。
【００２３】
凹凸面３０ｆは、前外板１１と対向する面に形成されるギザギザ形状の面である。前挿入溝３０ａ後方に形成される凸部によって、凹凸面３０ｆと前外板１１との間には発泡断熱材４０が充填される空間が形成される。そして、発泡断熱材４０と接する面に凹凸面３０ｆを形成することにより、当該空間に充填された発泡断熱材４０が剥がれにくくなる。これにより、前外板１１および後外板１２がトリムドア３０によって確実に接続される。
【００２４】
上記のように、本実施の形態ではトリムドア３０によって前外板１１および後外板１２を接続して外板１０を構成することで、外板１０の部品点数の増加を抑制するとともに、加工性および組立性を向上させることができる。また、これにより、冷蔵庫１の組み立て時間の短縮および歩留まりの改善につながり、コストダウンの実現や、品質の高い冷蔵庫１の提供が可能となる。
【００２５】
以上が本発明の実施の形態の説明であるが、本発明は、上記の実施の形態の構成に限定されるものではなく、その技術的思想の範囲内で様々な変形または組み合わせが可能である。例えば、冷凍室扉３のように片側にのみ開く扉だけでなく、両開きの扉の両方に本発明を適用して手掛け部Ａを形成することができる。また、回転式の扉だけでなく、引き出し式の扉においても同様に手掛け部Ａを形成することができる。さらに、冷凍室扉３および冷蔵室扉４に限定されるものではなく、野菜室や製氷室など冷蔵庫１が備え得る様々な貯蔵室の扉に手掛け部Ａを形成することができる。
【００２６】
また、上記実施の形態では、冷凍室扉３の前面を平面（外板１０の平面部１１ａおよび平面部１２ａ）としたが、これに限定されるものではなく、冷凍室扉３の前面（外板１０）を曲面としても良い。この場合、トリムドア３０は、外板１０の形状に対応した形状に形成される。さらに、トリムドア３０の手掛け面３０ｄについても、平面に限定されるものではなく、グリップ感をさらに改善するための凹凸などを設けても良い。また、トリムドア３０を２色成型とし、手掛け面３０ｄや突出部３０ｅの色に変化をもたせることで、冷蔵庫１の意匠性を広げることも可能である。
【符号の説明】
【００２７】
１  冷蔵庫、２  箱体、３  冷凍室扉、４  冷蔵室扉、５  ヒンジカバー、６  ヒンジ、６ａ  扉回転軸、１０  外板、１１  前外板、１２  後外板、１１ａ、１２ａ  平面部、１１ｂ、１２ｂ  側面部、１１ｃ、１２ｅ  接続部、１２ｃ  屈曲部、１２ｄ  挿入部、１３  上扉キャップ、１４  下扉キャップ、１５  内板、３０  トリムドア、３０ａ  前挿入溝、３０ｂ  後挿入溝、３０ｃ  案内リブ、３０ｄ  手掛け面、３０ｅ  突出部、３０ｆ  凹凸面、４０  発泡断熱材、Ａ  手掛け部。
【図１】
2016048124.tif 000003
【図２】
2016048124.tif 000004
【図３】
2016048124.tif 000005
【図４】
2016048124.tif 000006
【図５】
2016048124.tif 000007
【図６】
2016048124.tif 000008
【図７】
2016048124.tif 000009